(57)【要約】【課題】本発明は移動通信システムの負荷分散方法及び移動通信システムに関し，移動通信網内の無線ネットワーク制御装置で輻輳だけでなく障害異常が発生しても携帯端末による通信を可能とすることを目的とする。【解決手段】無線ネットワーク制御装置が，コアネットワークに設けた状態管理サーバに装置負荷率と携帯端末に発行したコードリストを通知するステップと，無線ネットワーク制御装置状態管理サーバが，無線ネットワーク制御装置から通知された装置負荷率から輻輳または障害状態であることを検知すると，配下の基地局に対し，直属の無線ネットワーク制御装置が輻輳または障害状態であることを通知するステップと，状態管理サーバからの通知を受けた基地局が携帯端末から発呼信号を受けると，状態管理サーバに転送先無線ネットワーク制御装置を問い合わせるステップと，取得した転送先に発呼信号を転送するステップと，を備えるよう構成する。【選択図】図１
2009130657.tif 000002
【特許請求の範囲】
【請求項１】
基地局の上位に無線ネットワーク制御装置が設けられ，複数の無線ネットワーク制御装置の上位にコアネットワークが設けられた移動通信システムにおける負荷分散方法において，
無線ネットワーク制御装置が，前記コアネットワークに設けた無線ネットワーク制御装置状態管理サーバに装置負荷率および現在通信中の携帯端末に発行したコードリストを通知するステップと，
無線ネットワーク制御装置状態管理サーバが，前記無線ネットワーク制御装置から通知された装置負荷率から輻輳または障害状態であることを検知すると，当該無線ネットワーク制御装置配下の基地局に対し，直属の無線ネットワーク制御装置が輻輳または障害状態であることを通知するステップと，
前記無線ネットワーク制御装置状態管理サーバからの前記通知を受けた基地局が，携帯端末から発信信号を受けると，無線ネットワーク制御装置状態管理サーバに転送先無線ネットワーク制御装置を問い合わせるステップと，
前記無線ネットワーク制御装置状態管理サーバから取得した転送先無線ネットワーク制御装置に前記携帯端末からの発信信号を転送するステップと，
を備えたことを特徴とする移動通信システムにおける負荷分散方法。
【請求項２】
基地局の上位に無線ネットワーク制御装置が設けられ，複数の無線ネットワーク制御装置が接続されたコアネットワークとで構成された移動通信システムにおいて，
前記コアネットワークに各無線ネットワーク制御装置の状態管理を行う無線ネットワーク制御装置状態管理サーバを設け，
前記無線ネットワーク制御装置状態管理サーバは，無線ネットワーク制御装置の状態が輻輳または障害になったことを検出すると，前記無線ネットワーク制御装置の配下の基地局に対して輻輳または障害の状態であることを通知する通知手段を備え，
前記通知を受け取った基地局は，携帯端末からの発信信号を受け取ると前記無線ネットワーク制御装置状態管理サーバに対し転送先の無線ネットワーク制御装置を問い合わせる手段を備え，前記問い合わせに対し前記無線ネットワーク制御装置状態管理サーバから転送先の無線ネットワーク制御装置の通知があると，前記通知された無線ネットワーク制御装置に対して前記携帯端末からの発信信号を転送することを特徴とする移動通信システム。
【請求項３】
請求項２において，
前記無線ネットワーク制御装置状態管理サーバに各無線ネットワーク制御装置別に状態，装置負荷率及び各基地局で通信中の携帯端末に対して発行したコードリストを格納した状態管理テーブルを備え，
前記無線ネットワーク制御装置状態管理サーバは，前記管理テーブルの状態及び装置負荷率に基づいて輻輳，障害の状態，または輻輳，障害から正常状態になったことを検出することを特徴とする移動通信システム。
【請求項４】
請求項２において，
前記無線ネットワーク制御装置状態管理サーバは，各無線ネットワーク制御装置に対して周期的にヘルスチェック信号を送信する手段を備え，前記ヘルスチェック信号に対する応答として装置負荷率及び発行したコードリストを受け取って前記状態管理テーブルに登録すること，及び無応答時において該無線ネットワーク制御装置を障害と認識することを特徴とする移動通信システム。
【発明の詳細な説明】
【技術分野】
【０００１】
本発明は，移動通信システムの負荷分散方法及び移動通信システムに関し，特に移動通信網の無線ネットワーク制御装置において発生する輻輳や障害に対して対処する移動通信システムの負荷分散方法及び移動通信システムに関するものである。
【背景技術】
【０００２】
基地局，無線ネットワーク制御装置を備えた移動通信システムでは，安定した運用を継続する必要があり，障害発生時に直ちに障害箇所を特定し，システムから切り離すと共に，故障装置を交換し復旧させる必要がある。しかし，システムが複雑化しており，システム間制御通信の異常，サービス完了率低下などの障害発生時に，障害発生元となる装置を特定できずに障害が継続してしまうことがある。
【０００３】
無線ネットワーク制御装置の配下に設置される基地局は予め決められており，携帯端末から発信信号を受信した基地局は，特定の無線ネットワーク制御装置にその信号を送信していた。そのため，無線ネットワーク制御装置内リソースで輻輳が発生した場合，基地局が携帯端末からの発信信号を受信しても無線ネットワーク制御装置にて拒否されてしまい，発信不可となる。
【０００４】
そのような無線ネットワーク制御装置の輻輳回避技術が提案されており（特許文献１参照），図７に従来例の説明図として示す。
【０００５】
図７において，８０は移動端末，８１は基地局，８２−１〜８２−４は無線ネットワーク制御装置，８３はコアネットワークである。この例では，移動端末８０は基地局８２−１に接続して通信を行う場合を示している。動作を説明すると，移動通信網内の無線ネットワーク制御装置８２−１（８２−２〜８２−４でも）は，第１ステップでコアネットワーク８３から無線ネットワーク制御装置８２−１〜８２−４の輻輳状態を示す網内管理情報を取得し，第２ステップとして移動端末８０から基地局８１を介した発呼要求(1) を受けると，該網内管理情報に基づいて輻輳状態が良い順に高い優先度を附した無線ネットワーク制御装置リストを作成する。第３ステップでは，無線ネットワーク制御装置８２−１で作成した無線ネットワーク制御装置リスト８４を移動端末８０に対して基地局８１を介して通知(2) する。無線ネットワーク制御装置リスト８４は図７に示すように，優先度が高い無線ネットワーク制御装置番号を先頭に，優先度の順に無線ネットワーク制御装置番号が設定されている。移動端末８０はこのリストを受け取ると，接続先として最も優先度の高い無線ネットワーク制御装置８２−２を選択して再接続(3) を行う。
【特許文献１】特開２００７−１３５０３０号公報
【発明の開示】
【発明が解決しようとする課題】
【０００６】
上記図７に示す従来例の技術によれば，無線ネットワーク制御装置の優先順位のリストを無線ネットワーク制御装置で作成していたため，無線ネットワーク制御装置で障害が発生した場合，リストを携帯端末（移動端末）に通知することができなくなり，発信不可になるという問題がある。
【０００７】
また，無線ネットワーク制御装置から基地局経由で携帯電話に無線ネットワーク制御装置のリストを通知し，再度，携帯端末から発信を行うため，無線区間（基地局〜携帯端末）でのメッセージが増えることになる。そのことにより以下の問題がある。
【０００８】
ａ．接続に要するまでの時間増加
ｂ．基地局および携帯端末の電力消費量増加
ｃ．携帯端末が２回発呼要求を送信するため，どちらか一方の発呼要求の送信に失敗した場合接続不可となるため，接続成功率が減少し，さらに，携帯端末で接続先無線ネットワーク制御装置を選択し発信する記載はあるが，接続先無線ネットワーク制御装置に携帯端末が発信したセル情報の通知には触れていないため，発信信号を受信した接続先無線ネットワーク制御装置で発信信号を処理できない課題がある。
【０００９】
本発明では，移動通信網内の無線ネットワーク制御装置で輻輳だけでなく障害異常が発生しても携帯端末による通信を可能とする無線ネットワーク制御装置の負荷分散方法及び移動通信システムを提供することを目的とする。
【課題を解決するための手段】
【００１０】
図１は本発明の原理構成を示す。図中，１はコアネットワークに設けた無線ネットワーク制御装置状態管理サーバ，１ａはヘルスチェック手段，１ｂは状態管理手段，１ｃは通知手段，１０は状態管理テーブル，２−１〜２−ｎ（２で代表する）はそれぞれ複数の配下の基地局の上位に設けられそれらの基地局による携帯端末の無線による通信の制御を行う無線ネットワーク制御装置，３−１〜３−ｍ（３で代表する）はセルに含まれる携帯端末との無線による通信を行う基地局，３ａは無線ネットワーク制御装置状態管理サーバ１からの上位の無線ネットワーク制御装置が輻輳（または異常）状態になったことを表す通知を配下の基地局で受信する異常通知受信手段，３ｂは携帯端末からの発信が発生した時，異常通知受信手段３ａで通知を受けていた時に無線ネットワーク制御装置状態管理サーバ１に最適な無線ネットワーク制御装置の問い合せを行う問い合わせ手段，３ｃは問い合わせ手段３ｂにより取得した無線ネットワーク制御装置を転送先として携帯端末からの発信を転送する転送先発信手段，４は無線により基地局３及び無線ネットワーク制御装置２を介して他の携帯端末または固定端末と通信を行う携帯端末である。この無線ネットワークでは，図示されないが各基地局３−１，３−２，…，３−ｍ及び無線ネットワーク制御装置２−１，２−２，…，２−ｎ及び無線ネットワーク制御装置状態管理サーバ１は網状の通信路を備えて相互に通信することができる。また，各基地局３はそれぞれが所属する上位の無線ネットワーク制御装置２が存在するが，他の無線ネットワーク制御装置と接続することが可能である。
【００１１】
本発明による無線ネットワーク制御方法を説明すると，第１ステップとして移動通信網内の無線ネットワーク制御装置２−１，２−２，…，２−ｎは，状態管理テーブル１０に装置負荷率及び通話を行っている配下の携帯端末に対して発行（払い出）したコードリスト（呼番号のリスト）を識別し，装置負荷率が変動するとコアネットワーク内の無線ネットワーク制御装置状態管理サーバ１に装置負荷率およびコードリストを通知する。無線ネットワーク制御装置状態管理サーバ１は，通知された無線ネットワーク制御装置の装置負荷率から輻輳状態または異常状態であることを検知すると，第２ステップとして当該輻輳状態（異常状態）になった無線ネットワーク制御装置配下の基地局に対し，直属の（基地局を管理する）無線ネットワーク制御装置が異常状態であることを通知する。この異常状態であることの通知を受けた基地局は，その基地局のエリアに位置する携帯端末から発信信号を受信すると，第３ステップとして無線ネットワーク制御装置状態管理サーバ１から転送先無線ネットワーク制御装置を取得し，携帯端末からの発信信号を取得した転送先無線ネットワーク制御装置に転送することで，輻輳状態（装置負荷率が高い）の無線ネットワーク制御装置を避けて携帯端末４による通信が可能となる。
【００１２】
図１に示す移動通信システムとしての動作を説明すると，無線ネットワーク制御装置状態管理サーバ１のヘルスチェック手段１ａは一定間隔で無線ネットワーク制御装置２−１〜２−ｎに対してヘルスチェック信号を送信し，各無線ネットワーク制御装置２−１〜２−ｎからの応答を待ち，一定時間内に応答が返らないとその無線ネットワーク制御装置は障害として認識する。ヘルスチェック信号に対する応答としては，その無線ネットワーク制御装置の装置負荷率であり，その他にコードリスト（各基地局（またはセル）において通信中の携帯端末に対して発行した（払い出した）呼番号リスト）を含めることができ，これらの情報は状態管理テーブル１０に無線ネットワーク制御装置別に登録される。なお，各基地局３から送られたコードリストは，無線ネットワーク制御装置状態管理サーバ１が保持する状態管理テーブル１０に登録されたコードリストと照合して一致するよう制御（書き換え）される。
【００１３】
状態管理手段１ｂは状態管理テーブル１０をチェックして負荷状態が予め設定された輻輳を表す装置負荷率に達したか，または障害状態（ヘルスチェックに対する応答が無い状態）になると，通知手段１ｃを用いて，該当する無線ネットワーク制御装置の配下の基地局３に対して直属の無線ネットワーク制御装置が異常状態であることを通知する。この時，該当する基地局（輻輳または障害状態になった無線ネットワーク制御装置配下の基地局）に対して発行済のコードリストを通知するよう指示する。なお，異常状態から正常状態になった場合にも通知手段１ｃから通知される。通知手段１ｃによる通知を受けた各基地局は異常通知受信手段３ａで受信し，それぞれのコードリストを無線ネットワーク制御装置状態管理サーバ１に通知し，そのコードリストは無線ネットワーク制御装置状態管理サーバ１の状態管理テーブル１０に登録される。
【００１４】
携帯端末４から基地局３−３に対して発信を行った時，基地局３−３が異常通知受信手段３ａで無線ネットワーク制御装置２−１が異常であることを表す通知を受信していた場合，基地局３−３は無線ネットワーク制御装置状態管理サーバ１に対して問い合わせ手段３ｂにより利用可能な無線ネットワーク制御装置を問い合わせる。無線ネットワーク制御装置状態管理サーバ１はその問い合わせを受けると，状態管理テーブル１０から装置負荷率の低い無線ネットワーク制御装置（２−２とする）を転送先として選択し，基地局３−３に通知すると，転送先発信手段３ｃにより携帯端末４からの上記の発信を通知された無線ネットワーク制御装置２−２を宛先として発信する。無線ネットワーク制御装置２−２はどの無線ネットワーク制御装置配下の基地局から送られてきたかを発信信号に付与された情報から識別し，無線ネットワーク制御装置状態管理サーバ１に無線ネットワーク制御装置の番号（識別子）と発信信号の情報（セル識別子）を通知する。無線ネットワーク制御装置状態管理サーバ１は無線ネットワーク制御装置２−２に対し該当のセル情報と携帯端末４に対し発行する新規コードを通知すると，無線ネットワーク制御装置２−２はその情報を元に発信処理を開始する。
【発明の効果】
【００１５】
本発明により，移動通信システムの無線ネットワーク制御装置で輻輳だけでなく，異常が発生した時でも，発信信号を異なる無線ネットワーク制御装置に転送することにより発信が可能となる。更に，携帯端末からの発信信号を１回送信するのみで対応可能となる。
【００１６】
また，配下セル（基地局）以外からの発信信号を受信した無線ネットワーク制御装置で，発信信号を処理することが可能となる。
【発明を実施するための最良の形態】
【００１７】
図２は本発明による移動通信システムの構成を示す。１〜４の各符号は上記図１の同じ符号の各部に対応し，１はコアネットワーク内の無線ネットワーク制御装置状態管理サーバ，２−１〜２−３は無線ネットワーク制御装置（２で代表する場合がある），３−１〜３−３，３−４〜３−６，３−７〜３−９はそれぞれ無線ネットワーク制御装置２−１，２−２，２−３に直属する（配下の）の基地局（３で代表する場合ある），４は携帯端末であり，図２の例では基地局３−３のエリアに位置する携帯端末である。なお，図２に示す無線ネットワーク制御装置状態管理サーバ１，各無線ネットワーク制御装置２，各基地局３は図示されないが，相互にメッシュ状にネットワーク接続されている。
【００１８】
基地局３は，無線ネットワーク制御装置状態管理サーバ１と直接通信可能であり，無線ネットワーク制御装置２とも直接通信することが可能である。また，無線ネットワーク制御装置２−１とその配下に設置される基地局３−１〜３−３は，同じネットワーク識別子が付与されている。同様に，無線ネットワーク制御装置２−２，２−３およびその配下の基地局３−４〜３−６，３−７〜３−９も個々に独立したネットワーク識別子が付与されている。
【００１９】
以下に無線ネットワーク制御装置２−１にて，正常状態から異常状態（輻輳状態／障害状態）および異常状態から正常状態に遷移した例を用いて説明する。
【００２０】
無線ネットワーク制御装置２−１〜２−３は，従来の運用保守管理の手順や局データ更新等により配下の基地局のセルの設定情報に変化があった場合，各セル情報をコアネットワーク内の無線ネットワーク制御装置状態管理サーバ１に予め登録しておく。無線ネットワーク制御装置状態管理サーバ１は，無線ネットワーク制御装置２−１〜２−３の装置負荷率を元に状態監視を行うが，この実施例では，装置負荷率としてＣＰＵ使用率を用いる。
【００２１】
図３は無線ネットワーク制御装置状態管理サーバにおける処理フローを示す。この例は主に無線ネットワーク制御装置２−１に対して実行される例を示すが，他の無線ネットワーク制御装置２−２，２−３に対しても同様の処理が実行される。なお，図３において「輻輳閾値」という用語は，無線ネットワーク制御装置が正常状態から輻輳状態へ遷移したことを識別するための閾値であり，「正常閾値」という用語は，無線ネットワーク制御装置が輻輳状態から正常状態へ遷移したことを識別するための閾値である。この２つの閾値を用いて，無線ネットワーク制御装置から報告されるＣＰＵ使用率を比較して状態を管理する。また図３における状態管理テーブルに設定された無線ネットワーク制御装置の「状態」を「規制」の状態として判別する場合があるが，この「規制」という状態は「障害」または「輻輳」の何れかの状態を意味する。
【００２２】
無線ネットワーク制御装置の監視を開始すると，無線ネットワーク制御装置の状態を正常として，状態管理テーブル（図１の１０）を設定し（図３のＳ１），ヘルスチェック信号を無線ネットワーク制御装置に対して送信し，応答タイマを開始する（同Ｓ２）。その後，イベント受信待ち状態となり（図３のＳ３），イベント受信があると（同Ｓ４），イベントに応じて次のＳ５，Ｓ１２，またはＳ１７の何れかの処理が実行される。
【００２３】
ヘルスチェック応答の受信があると（図３のＳ５），受信された応答信号として該当無線ネットワーク制御装置（２−１とする）のＣＰＵ使用率と通信中の携帯端末に発行したコードリストを受信して状態管理テーブル（図１の１０）に記憶する（同Ｓ６）。
【００２４】
図４は状態管理テーブルの構成例である。この構成では，無線ネットワーク制御装置の番号別に，「状態」（輻輳または障害，正常），「ＣＰＵ使用率」，「払い出しコードリスト」（「払い出し」は「発行」と同義）の項目とで構成され，この例では，無線ネットワーク制御装置２−１〜２−３の状態は全て「正常」で，ＣＰＵ使用率は順番に７０％，５０％，５０％となっている。
【００２５】
次に，状態管理テーブルの中の当該無線ネットワーク制御装置２−１について設定されている状態（以前の状態）を判別し（図３のＳ７），「正常」に設定されている場合は今回受信された内容（ＣＰＵ使用率）が常に正常の状態であり変化がないため，ステップＳ２に戻るが，「規制」（輻輳または障害）の状態に設定されていると，無線ネットワーク制御装置２−１の配下の基地局３−１〜３−３に無線ネットワーク制御装置（２−１）が正常回復したことを通知する（図３のＳ８）。続いて，基地局３−１〜３−３で発行（払い出した）したコードリストと状態管理テーブル１０に設定した内容とを各基地局から無線ネットワーク制御装置状態管理サーバ１へ送信させることにより照合し（図３のＳ９），無線ネットワーク制御装置２−２に払い出しコードリストを通知し（同Ｓ１０），状態管理テーブル１０の当該無線ネットワーク制御装置の状態を「正常」に設定する（同Ｓ１１）。
【００２６】
上記ステップＳ４において，ヘルスチェック応答タイマ満了のイベントが発生すると（図３のＳ１２），現在の状態管理テーブル１０に設定されている当該無線ネットワーク制御装置２−１の状態を判別し（同Ｓ１３），「規制」の状態であると今回のタイマ満了イベントの状態（障害）と同じであるため，ステップＳ２に戻るが，「正常」の状態に設定されていると，配下の基地局３−１〜３−３に対して無線ネットワーク制御装置２−１が異常であることを通知する（図３のＳ１４）。続いて，ステップＳ１５において上記ステップＳ９と同様に基地局３−１〜３−３の発行コードと状態管理テーブル１０の内容の照合を行い，状態管理テーブル１０の当該無線ネットワーク制御装置２−１の状態を「障害」に設定する（図３のＳ１６）。
【００２７】
上記ステップＳ４のイベント受信として，ＣＰＵ使用率変動報告を無線ネットワーク制御装置２−１から受信した場合がある（図３のＳ１７）。これは，無線ネットワーク制御装置２−１においてＣＰＵ使用率を一定量の刻み単位でレベル分けし，レベルが変更した際に無線ネットワーク制御装置状態管理サーバへＣＰＵ使用率変動報告が行われ，これを受信した場合である。この実施例では，１０％刻みでレベル分けを行うものとし，前回ＣＰＵ使用率の報告（ヘルスチェックの報告や，使用率変動報告等）の後に，±１０％変動が発生すると無線ネットワーク制御装置から自発的に無線ネットワーク制御装置管理サーバ１に対してＣＰＵ使用率変動報告の送信を行う。
【００２８】
この報告を受信すると，ＣＰＵ使用率及び発行コードリストを記憶し（図３のＳ１８），現在の状態管理テーブル１０に設定されている当該無線ネットワーク制御装置の状態を判別する（同Ｓ１９）。ここで，「正常」に設定されている場合，上記ＣＰＵ使用率変動報告の報告値が輻輳閾値以上であるか判別し（図３のＳ２０），輻輳閾値に達しない場合はステップＳ２に戻り，報告値が輻輳閾値以上である場合は，配下の基地局３−１〜３−３に無線ネットワーク制御装置２−１が異常（輻輳）であることを通知する（同Ｓ２１）。続いて，上記ステップＳ９，Ｓ１５と同様に基地局３−１〜３−３と発行したコードの照合を行い（図３のＳ２２），状態管理テーブル１０の当該無線ネットワーク制御装置２−１の状態を「輻輳」に設定する。
【００２９】
図５は状態管理テーブルの状態を変更した例である。この中の無線ネットワーク制御装置２−１のＣＰＵ使用率が上記図４では７０％であったが，ＣＰＵ使用率変動報告により８０％に変化している。この時，輻輳閾値が８０％に設定してあると，上記図３のステップＳ２０において，輻輳状態であることが判別され，その後のステップＳ２３において状態管理テーブル１０の無線ネットワーク制御装置２−１の状態は，図５に示すように「輻輳」に設定される。
【００３０】
上記ステップＳ１９において，「規制」状態に設定されている場合，上記ＣＰＵ使用率変動報告の報告値が正常閾値以下であるか判別し（図３のＳ２４），報告値が正常閾値を越えているとステップＳ２に戻り，報告値が正常閾値以下の場合は基地局３−１〜３−３に無線ネットワーク制御装置２−１が正常回復したことを通知する（同Ｓ２５）。続いて，上記ステップＳ９，Ｓ１５，Ｓ２２と同様の基地局３−１〜３−３と発行コードとの照合を行い（図３のＳ２６），無線ネットワーク制御装置２−１に発行コードを通知し（同Ｓ２７），状態管理テーブル１０の当該無線ネットワーク制御装置２−２の状態を「正常」に設定する。
【００３１】
図６は基地局が携帯端末からの発信信号を受信した時の動作シーケンスである。図６には図２の携帯端末４，基地局３−３，無線ネットワーク制御装置２−１，２−２及び無線ネットワーク制御装置状態管理サーバ１とが示されている。
【００３２】
無線ネットワーク制御装置２−１から無線ネットワーク制御装置状態管理サーバ１に対してＣＰＵ使用率変動報告が送られ（図６のａ），無線ネットワーク制御装置状態管理サーバ１において無線ネットワーク制御装置２−１が輻輳状態であることを検出すると，無線ネットワーク制御装置２−１の配下である基地局３−３（３−１，３−２にも）に対して無線ネットワーク制御装置２−１の異常通知をする（図６のｂ）。これを受けた基地局３−３は無線ネットワーク制御装置状態管理サーバ１に向けて払い出しコード（発行コード）の通知を行う（図６のｃ）。これにより無線ネットワーク制御装置状態管理サーバ１において基地局３−３に保持するコードとの一致化が行われる。
【００３３】
その後，携帯端末４から基地局３−３に対して発呼要求（発信）を行うと（図６のｄ），基地局３−３は無線ネットワーク制御装置状態管理サーバ１に転送先無線ネットワーク制御装置を問い合わせる（同ｅ）。無線ネットワーク制御装置状態管理サーバ１は最新の状態管理テーブル１０よりＣＰＵ使用率が低い無線ネットワーク制御装置２−２を転送先と決定し，基地局３−３に対して通知する（図６のｆ）。基地局３−３は上記携帯端末４からの発呼要求（発信信号）を，通知された無線ネットワーク制御装置２−２に転送（発信）する（図６のｇ）。
【００３４】
無線ネットワーク制御装置２−２は発信信号を受信した際，該発信信号がどの無線ネットワーク制御装置配下の基地局から送られてきたかを，発信信号に付与されているネットワーク識別子から判断する。こうして無線ネットワーク制御装置２−２は，無線ネットワーク制御装置２−１配下の基地局３−３から受信したと判断し，無線ネットワーク制御装置状態管理サーバ１に無線ネットワーク制御装置識別子（２−１）と発信信号の情報要素であるセル識別子を通知し，発信した呼に対して発行する（払い出す）新規コードを要求する（図６のｈ）。無線ネットワーク制御装置状態管理サーバ１は無線ネットワーク制御装置２−２に対し，発呼要求してきた携帯端末に発行する新規コードを通知すると（図６のｉ），無線ネットワーク制御装置２−２は，その情報を元に発信処理を開始する。
【００３５】
（付記１）  基地局の上位に無線ネットワーク制御装置が設けられ，複数の無線ネットワーク制御装置の上位にコアネットワークが設けられた移動通信システムの負荷分散方法において，無線ネットワーク制御装置が，前記コアネットワークに設けた無線ネットワーク制御装置状態管理サーバに装置負荷率および現在通信中の携帯端末に発行したコードリストを通知するステップと，無線ネットワーク制御装置状態管理サーバが，前記無線ネットワーク制御装置から通知された装置負荷率から輻輳または障害状態であることを検知すると，当該無線ネットワーク制御装置配下の基地局に対し，直属の無線ネットワーク制御装置が輻輳または障害状態であることを通知するステップと，前記無線ネットワーク制御装置状態管理サーバからの前記通知を受けた基地局が，携帯端末から発信を受けとると，無線ネットワーク制御装置状態管理サーバに転送先無線ネットワーク制御装置を問い合わせるステップと，前記無線ネットワーク制御装置状態管理サーバから取得した転送先無線ネットワーク制御装置に前記携帯端末からの発信信号を転送するステップと，を備えたことを特徴とする移動通信システムの負荷分散方法。
【００３６】
（付記２）  付記１において，前記無線ネットワーク制御装置状態管理サーバは，周期的に各無線ネットワーク制御装置に対しヘルスチェック信号を送信し，前記ヘルスチェック信号に対して応答がない無線ネットワーク制御装置を検出すると，当該無線ネットワーク制御装置の配下の基地局に対して前記直属の無線ネットワーク制御装置が障害状態であることを通知するステップを実行することを特徴とする移動通信システムの負荷分散方法。
【００３７】
（付記３）  付記１において，前記発信信号の転送を受けた無線ネットワーク制御装置は，発信信号に付与された情報から発呼元の基地局と無線ネットワーク制御装置を識別して無線ネットワーク制御装置状態管理サーバに通知し，前記無線ネットワーク制御装置状態管理サーバから前記発呼要求をした携帯端末に発行する新規コードを通知し，前記無線ネットワーク制御装置は通知された前記新規コードを用いて発呼処理を行うことを特徴とする移動通信システムの負荷分散方法。
【００３８】
（付記４）  携帯端末と通信を行う基地局の上位に無線ネットワーク制御装置が設けられ，複数の無線ネットワーク制御装置が接続されたコアネットワークとで構成された移動通信システムにおいて，前記コアネットワークに各無線ネットワーク制御装置の状態管理を行う無線ネットワーク制御装置状態管理サーバを設け，前記無線ネットワーク制御装置状態管理サーバは，無線ネットワーク制御装置の状態が輻輳または障害になったことを検出すると，前記無線ネットワーク制御装置の配下の基地局に対して輻輳または障害の状態であることを通知する通知手段を備え，前記通知を受け取った基地局は，携帯端末からの発呼要求を受け取ると前記無線ネットワーク制御装置状態管理サーバに対し転送先の無線ネットワーク制御装置を問い合わせる手段を備え，前記問い合わせに対し前記無線ネットワーク制御装置状態管理サーバから転送先の無線ネットワーク制御装置の通知があると，前記通知された無線ネットワーク制御装置に対して前記携帯端末からの発信信号を転送することを特徴とする移動通信システム。
【００３９】
（付記５）  付記４において，前記無線ネットワーク制御装置状態管理サーバに各無線ネットワーク制御装置別に状態，装置負荷率及び各基地局で通信中の携帯端末に対して発行したコードリストとを格納した状態管理テーブルを備え，前記無線ネットワーク制御装置状態管理サーバは，前記管理テーブルの状態及び装置負荷率に基づいて輻輳，障害の状態，または輻輳，障害から正常状態になったことを検出することを特徴とする移動通信システム。
【００４０】
（付記６）  付記４において，前記無線ネットワーク制御装置状態管理サーバは，各無線ネットワーク制御装置に対して周期的にヘルスチェック信号を送信する手段を備え，前記ヘルスチェック信号に対する応答として装置負荷率及び発行したコードリストを受け取って前記状態管理テーブルに登録することを特徴とする移動通信システム。
【００４１】
（付記７）  付記６において，前記ヘルスチェック信号の送信に対して応答が無いと，応答が無い無線ネットワーク制御装置が障害状態であるとして，前記通知手段により配下の基地局に対して障害状態であることを特徴とする移動通信システム。
【図面の簡単な説明】
【００４２】
【図１】本発明の原理構成を示す図である。
【図２】本発明による移動通信システムの構成を示す図である。
【図３】無線ネットワーク制御装置状態管理サーバにおける処理フローを示す図である。
【図４】状態管理テーブルの構成例を示す図である。
【図５】状態管理テーブルの状態を変更した例を示す図である。
【図６】基地局が携帯端末からの発信信号を受信した時の動作シーケンスを示す図である。
【図７】従来例の説明図である。
【符号の説明】
【００４３】
１          無線ネットワーク制御装置状態管理サーバ
１ａ        ヘルスチェック手段
１ｂ        状態管理手段
１ｃ        通知手段
１０        状態管理テーブル
２（２−１〜２−ｎ）    無線ネットワーク制御装置
３（３−１〜３−ｍ）    基地局
３ａ        異常通知受信手段
３ｂ        問い合わせ手段
３ｃ        転送先発信手段
４          携帯端末
【図１】
2009130657.tif 000003
【図２】
2009130657.tif 000004
【図３】
2009130657.tif 000005
【図４】
2009130657.tif 000006
【図５】
2009130657.tif 000007
【図６】
2009130657.tif 000008
【図７】
2009130657.tif 000009